(57)【要約】【課題】  広い設置スペースを必要とせず、金融機関の口座またはカードを持っていなくても利用できる貸金庫システムを提供する。【解決手段】  貸金庫システム１は、自動取引装置２と、自動取引装置２により制御される貸金庫装置３と、自動取引装置２に接続され、貸金庫装置３の金庫部に収容される利用者から預け入れられた預入袋に関する情報を管理するとともに、金融機関との間で通信可能な貸金庫管理センター４とから構成される。利用者は預入情報を自動取引装置２を使用して入力し、料金支払いが行われた後、貸金庫装置３に対して預入品を入れた預入袋を投函する。貸金庫管理センター４は預入情報を登録し、該預入情報に基づいて預入袋の移送を指示する。【選択図】  図１
2006097271.tif 000002
【特許請求の範囲】
【請求項１】
自動取引装置と、
前記自動取引装置により制御され、利用者から預け入れられる預入袋を収容する金庫部を有する貸金庫装置と、
前記自動取引装置に接続され、前記預入袋に関する情報を管理するとともに、金融機関との間で通信可能な貸金庫管理センターとから構成され、
利用者が預入情報を入力する入力手段を具備し、
前記自動取引装置は、前記預入袋の預入時に料金支払いが行われた後、前記貸金庫装置に対して前記金庫部の投函口のロック解除を指示して前記預入袋の前記金庫部への投函を可能にし、該預入袋が投入されると前記投函口のロックを指示し、
前記貸金庫管理センターは、前記入力手段により入力された預入情報を登録するとともに、該預入情報に基づいて前記預入袋の移送を指示することを特徴とする貸金庫システム。
【請求項２】
前記入力手段は、前記貸金庫管理センターと通信可能な携帯端末を含む請求項１記載の貸金庫システム。
【請求項３】
前記携帯端末および前記貸金庫管理センターと通信可能な携帯端末センターを有し、
前記携帯端末センターに前記携帯端末から前記預入情報が送信され、該携帯端末センターは前記携帯端末に預入が行われた旨の預入チケット情報を送信する請求項２記載の貸金庫システム。
【請求項４】
前記貸金庫装置は、投函された預入袋から預入袋を認識する手段を有し、
前記認識手段により預入袋を認識した後、前記投函口のロックを指示する請求項１記載の貸金庫システム。
【請求項５】
前記貸金庫装置は前記自動取引装置に内蔵される請求項１記載の貸金庫システム。
【発明の詳細な説明】
【技術分野】
【０００１】
本発明は、自動取引装置を用いた貸金庫システムに関するものである。
【背景技術】
【０００２】
従来、銀行などには貸金庫が設置されている。こうした貸金庫を利用するためには事前に利用申し込み手続が必要で、重要書類等の保管が急に必要になった場合には対応できない。また銀行の貸金庫を利用するためには、その銀行に口座を持っていなければならない。さらに貸金庫の利用時間は銀行が営業している時間帯に限られる。
【０００３】
銀行における貸金庫システムを開示するものとして、特開平１１−１５９２４７号公報に開示されるものがある。これは、自動取引装置の周囲に複数の金庫を設置し、利用者はそれぞれ個別に１つの金庫を使用し、金庫の管理を自動取引装置で行うシステムである。このシステムにおいては、カードを用いて利用者の口座情報等を照会し、利用可否の判断やキャッシュレス取引を行う。
【特許文献１】特開平１１−１５９２４７号公報
【発明の開示】
【発明が解決しようとする課題】
【０００４】
しかしながら上記文献に開示される従来の貸金庫システムにおいては、自動取引装置の周囲に多数の金庫を設置するので、広い設置スペースを必要とし、狭い店舗ではシステムの実現が困難である。また利用する金融機関の口座およびカードを持っていない者は貸金庫を利用できないという問題もある。また、金庫１台に対して一人の利用者しか利用できないので、利用者の最大人数が、金庫の設置台数に限られ、より多くの者が利用できない。その上長期の利用者が増加すると、新たに利用できる金庫の数が減少し、利用したくても利用できない場合が多くなる。
【課題を解決するための手段】
【０００５】
上記課題を解決するために、本発明は、自動取引装置と、前記自動取引装置により制御され、利用者から預け入れられる預入袋を収容する金庫部を有する貸金庫装置と、前記自動取引装置に接続され、前記預入袋に関する情報を管理するとともに、金融機関との間で通信可能な貸金庫管理センターとから構成され、利用者が預入情報を入力する入力手段を具備し、前記自動取引装置は、前記預入袋の預入時に料金支払いが行われた後、前記貸金庫装置に対して前記金庫部の投函口のロック解除を指示して前記預入袋の前記金庫部への投函を可能にし、該預入袋が投入されると前記投函口のロックを指示し、前記貸金庫管理センターは、前記入力手段により入力された預入情報を登録するとともに、該預入情報に基づいて前記預入袋の移送を指示することを特徴とするものである。
【発明の効果】
【０００６】
上記構成の本発明によれば、預入袋を預け入れる場合、預入情報を入力手段により入力する。預入情報は貸金庫管理センターに登録される。預入情報の入力で預入が可能となり、金融機関の口座やカードを必要とせずに貸金庫への預入ができる。貸金庫管理センターは預入情報に基づいて預入袋の移送を指示するので、貸金庫装置には何度でも預入袋の投函が可能であり、利用者の数が制限されない。また貸金庫装置は１台設ければよいので、広い設置スペースを必要としない。
【発明を実施するための最良の形態】
【０００７】
以下、本発明を実施するための形態を図面に従って説明する。図１は本発明の第１の実施の形態の貸金庫システムの概要を示す説明図、図２は第１の実施の形態の自動取引装置と貸金庫装置を示す外観図である。
【０００８】
図１において、第１の実施の形態の貸金庫システム１は、自動取引装置２と貸金庫装置３と貸金庫管理センター４とから構成される。自動取引装置２および貸金庫装置３については後述する。貸金庫管理センター４は自動取引装置２と専用回線５で接続され、また提携銀行ホストシステム６にも接続されている。貸金庫管理センター４は後述する預入情報を登録する機能を有するとともに、警備会社の運搬車７に対して指示を送る機能を有する。
【０００９】
図２において、自動取引装置２と貸金庫装置３は例えばコンビニエンスストアに併設して設置される。自動取引装置２には、情報を表示するとともに利用者が操作入力するタッチパネル付液晶表示部１１、レシートが発行されるレシート発行口１２、カードが挿入／排出されるカード挿入排出口１３、紙幣が投入／排出される紙幣投入排出口１４およびテンキーユニット１５が具備されている。
【００１０】
貸金庫装置３には、預入袋が投函される投函口１６、投函口１６に隣接して設けられたレシート発行口１７および預入袋が収容される金庫部１８が具備されている。
【００１１】
図３は貸金庫装置の内部構造を示す説明図である。図３において、投函口１６（点線で示す）の内側にはシャッター２０が支点部２１ａ、２１ｂを中心に下側に回転可能に設けられている。図示していないが、回転を滑らかにし、預入袋を投函した後に確実に閉まるように支点部２１ａ、２１ｂにコイルスプリングを配置してある。シャッター２０の下側にはレバー２２の先端部が位置付けられるようになっている。レバー２２の先端部がシャッター２０の下側に入り込むことにより、シャッター２０は下側へ回転できず、閉じた状態でロックされる。レバー２２は支点２３を中心に回転可能となっている。
【００１２】
レバー２２はリンク２４を介してシャッターマグネット２５により回転する。シャッターマグネット２５の先端スライド部にはスプリング２６が配設されており、シャッターマグネット２５のオン／オフによりリンク２４は往復移動する。シャッターマグネット２５がオフの場合、図に示すように、レバー２２の先端部がシャッター２０の下側へ入り込み、シャッター２０の回転を阻止してロックする。シャッターマグネット２５がオンの場合、レバー２２が回転してその先端部がシャッター２０の下側から退避し、シャッター２０は開閉可能となる。
【００１３】
シャッター２０の下方にはガイド２７が設けられている。ガイド２７は、投函口１６から投函された預入袋を金庫部１８の金庫投入口２８へ案内するためのものである。ガイド２７の上方およびガイド２７の下方にバーコードスキャナ２９、３０が設けられている。バーコードスキャナ２９、３０は、ガイド２７上にある預入袋のバーコードを読み取る。預入袋は封筒状であり、２つのバーコードスキャナ２９、３０のいずれかで預入袋のバーコードを読み取ることができる。なおガイド２７は透明部材で形成されている。なおバーコードスキャナ２９、３０を設けるほかに、預入袋にＩＣタグを埋め込んでおき、ガイド２７にＩＣタグ検知ユニットを設け、これを併用することにより、さらに確実な預入袋の認識を行うことができる。
【００１４】
金庫投入口２８には、金庫シャッター３１が支点３２を中心に回転可能に設けられている。金庫シャッター３１は金庫シャッター開閉マグネット３３により開閉される。金庫シャッター開閉マグネット３３は、リンク３４およびレバー３５を介して金庫シャッター３１の側部に接続され、金庫シャッター開閉マグネット３３がオンすると金庫シャッター３１は閉じる。金庫シャッター開閉マグネット３３のオフにより金庫シャッター３１は開くことができる。金庫シャッター開閉マグネット３３にはスプリング３６が取付けられ、金庫シャッター開閉マグネット３３がオフのときリンク３４を上方へ移動させる。
【００１５】
金庫シャッター３１の支点３２の反対側には金庫シャッターマグネット３７が設けられている。金庫シャッターマグネット３７にはスプリング３８およびリンク３９を介してレバー４０が取付けられ、レバー４０の先端部４０ａが金庫シャッター３１が閉じているときに金庫シャッター３１の下側に入り込むようになっている。金庫シャッター３１が閉じているときに、金庫シャッターマグネット３７がオンすることによりレバー４０の先端部４０ａが金庫シャッター３１の下側から退避し、金庫シャッターマグネット３７がオフすることによりレバー４０の先端部４０ａが金庫シャッター３１の下側に入り込む。装置３の通常の待機時には金庫シャッター３１を閉じた状態でロックしておくので、金庫シャッター３１のオフ状態でロックでき、待機時の電力消費を抑えられる。
【００１６】
図４は自動取引装置および貸金庫装置を示すブロック図である。図４において、自動取引装置２には、装置全体の動作を制御する制御部５１が設けられ、制御部５１には、紙幣の入出金処理を行う紙幣入出金ユニット５２、レシートの発行を行なうレシートプリンタ５３、取り込んだカードに対してデータの読み取りおよび書き込みを行うカードリーダライタ５４、前述のタッチパネル付液晶表示部１１およびテンキー１５が接続され、制御部５１はこれらを制御する。紙幣入出金ユニット５２は図２に示す紙幣投入排出口１４に接続され、レシートプリンタ５３はレシート発行口１２に接続され、カードリーダライタ５４はカード挿入排出口１３に接続されている。自動取引装置として上記の各部のほかに硬貨入出金ユニット５５を設けるものであってもよい。
【００１７】
貸金庫装置３は自動取引装置２の制御部５１により制御される。貸金庫装置３の預入投函口扉ロック機構５６は、図３で説明したシャッター２０、レバー２２、リンク２４およびシャッターマグネット２５により構成される。金庫投函口開閉ロック機構５７は、図３で説明した金庫シャッター３１、金庫シャッター開閉マグネット３３、リンク３４、レバー３５、金庫シャッターマグネット３７、リンク３９およびレバー４０により構成される。バーコードスキャナ５８は、図３に示すバーコードスキャナ２９、３０である。
【００１８】
次に第１の実施の形態の動作を説明する。ここでは図５、図６のフローチャートにしたがって預入を行う場合の動作を説明する。図５、図６は第１の実施の形態における自動取引装置の預入動作を示すフローチャートである。
【００１９】
利用者はコンビニエンスストア等の自動取引装置２および貸金庫装置３が設置してある場所へ出向く。ここで預入専用の所定の封筒（預入袋）を購入し、その預入袋に受取人および連絡先を記入し、その封筒の中に預入品を入れて密封する。利用者は預入品を入れた預入袋を持って自動取引装置２の前に立つ。
【００２０】
自動取引装置２では、図示しない接近センサにより利用者の接近を検知すると、制御部５１がタッチパネル付液晶表示部１１に取引科目の選択画面を表示させる（ステップ１）。取引科目には「貸金庫」取引が含まれており、利用者はこの「貸金庫」ボタンを押下する。他の取引ボタンが押下された場合には押下された取引処理を行う。
【００２１】
「貸金庫」取引が選択されたことが検出されると（ステップ２）、利用者の預入情報が登録されているかがチェックされる（ステップ３）。ここで預入情報の事前登録について説明すると、利用者はインターネットあるいは携帯電話を使用して、預入についての情報を事前に登録しておくことができる。例えば、インターネットあるいは携帯電話を図１に示す貸金庫管理センター４に接続し、預入情報を入力すると、入力された預入情報が貸金庫管理センター４に登録される。預入情報としては、利用者の氏名、利用者の連絡先電話番号、預入品の名称、預入品の推定価値、保管期間、受取場所等である。預入情報を登録すると、登録番号が貸金庫管理センター４から利用者に通知される。
【００２２】
ステップ３において預入情報が既に登録されている場合、次に登録番号を入力する画面が表示される（ステップ４）。利用者が登録番号を入力すると（ステップ５）、次に封筒番号を入力するための画面が表示される（ステップ６）。封筒番号は預入袋に記載されている番号で、預入袋を識別することのできる番号である。
【００２３】
預入情報が登録されていない場合は、預入情報を登録する画面が表示される（ステップ７）。利用者は表示画面のガイダンスに従って、利用者の氏名、利用者の連絡先電話番号、預入品の名称、預入品の推定価値、保管期間、受取場所等の預入情報を入力する。入力された預入情報は自動取引装置２から貸金庫管理センター４は送信される。利用者が預入情報を入力すると（ステップ８）、ステップ６へ移行する。
【００２４】
ステップ６において利用者が封筒番号を入力すると（ステップ９）、次に確認画面が表示される（ステップ１０）。確認画面には預入情報が表示される。預入情報が登録してあった場合は、登録番号により貸金庫管理センター４から預入情報を送信され、登録してなかった場合はステップ７で入力した預入情報が表示される。確認画面で修正がない場合、確認画面に表示されている確認ボタンを押下することにより次のステップへ進む（ステップ１１）。確認画面で間違いを発見した場合、あるいは何らかの項目を修正したい場合は、利用者はタッチパネル付液晶表示部１１を用いて修正し、預入情報は修正された情報に書き換えられる（ステップ１２）。
【００２５】
預入情報が確認されると、その預入情報が自動取引装置２から貸金庫管理センター４へ送られる。貸金庫管理センター４では送られてきた預入情報に基づいて料金を算出する。そして算出した料金情報を自動取引装置２へ送信する。自動取引装置２では、料金をタッチパネル付液晶表示部１１に表示する（ステップ１３）。それとともに料金の支払い方法を選択する画面、即ち、現金支払いをするか或いはカード（キャッシュカード）による支払いをするかを選択する画面を表示する（ステップ１４）。
【００２６】
利用者が現金支払いを選択した場合、タッチパネル付液晶表示部１１に支払方法が表示され、その表示に従って利用者は現金を紙幣投入排出口１４または図示しない硬貨投入口から投入する。紙幣入出金ユニット５２または硬貨入出金ユニット５５では入金処理をし、釣銭が必要な場合は釣銭を排出する（ステップ１５）。なお硬貨入出金ユニットが備えられていない装置においては、料金の一部を後払いとする。
【００２７】
利用者がカードによる支払いを選択した場合、カードをカード挿入排出口１３から挿入する案内を表示し（ステップ１６）、カード挿入を促す。利用者がカードを挿入すると、次に暗証番号を入力するガイダンスを表示する（ステップ１７）。暗証番号が入力されると、自動取引装置２はセンタコンピュータに問合せ、暗証番号が正しいか口座による支払いは可能かを確認し、支払い可能と判断した場合は口座から料金分を引き落とし、ステップ１８へ進む。
【００２８】
料金が支払われると、自動取引装置２はレシートプリンタ５３により領収レシートを発行する（ステップ１８）。領収レシートは２枚発行され、１枚は利用者の控えとし、もう１枚は預入袋へ貼り付けるのに用いられる。領収レシートを発行する際、タッチパネル付液晶表示部１１に１枚を預入袋に貼り付ける旨の表示を行う。
【００２９】
利用者が領収レシートをレシート発行口１２から引き抜くと、制御部５１は貸金庫装置３の預入投函口ロック機構５６および金庫投函口開閉ロック機構５７に対してシャッターのロックを解除する指示を出す（ステップ１９）とともに、利用者に対して預入袋を貸金庫装置３へ投函するガイダンスを表示する（ステップ２０）。
【００３０】
貸金庫装置３では、預入投函口ロック機構５６のシャッターマグネット２５がオフ状態で、シャッター２０が閉じた状態でロックされていた。また金庫投函口開閉ロック機構５７においても、金庫シャッターマグネット３７がオフ状態で、金庫シャッター３１が閉じた状態でロックされていた。制御部５１からのロック解除指示により、シャッターマグネット２５がオンとなり、レバー２２がシャッター２０の下側から退避してシャッター２０が開閉可能となる。また制御部５１からのロック解除指示により、金庫シャッターマグネット３７がオンとなり、金庫シャッター３１が開閉可能となる。
【００３１】
表示ガイダンスに従って利用者が預入袋を投函口１６へ投函すると、預入袋はガイド２７上に落下し、このときバーコードスキャナ２９またはバーコードスキャナ３０により預入袋のバーコードが認識される。認識された情報は制御部５１へ送られる。制御部５１はこの情報を受け取ることにより、預入袋が貸金庫装置３内に投函されたことを認識する。預入袋はガイド２７に案内されて金庫投入口２８から金庫部１８内に収容される。預入袋が貸金庫装置３に収容されたことは自動取引装置２から貸金庫管理センター４へ通知される。なお預入袋が貸金庫装置３に投函されたことを検出する手段として、光学センサを設けるようにしてもよい。しかしながらバーコードスキャナ２９または３０で預入袋のバーコードを認識することにより、どの預入袋が投函されたかが確実に認識される。
【００３２】
またここで、バーコードスキャナ２９または３０により、預入袋に印刷してある封筒番号を読み取るようにしてもよい。このようにすれば、利用者が封筒番号を入力する必要がなくなるとともに、封筒番号の入力間違いを防止することができる。
【００３３】
次に制御部５１は、貸金庫装置３の預入投函口ロック機構５６および金庫投函口開閉ロック機構５７に対してシャッターをロックする指示を出す（ステップ２１）。金庫投函口開閉ロック機構５７の金庫シャッター開閉マグネット３３をオンすることにより金庫シャッター３１が閉じ、この状態で金庫シャッターマグネット３７をオフすることにより、レバー４０が金庫シャッター３１を閉じた状態でロックする。またシャッター２０が閉じた状態で預入投函口ロック機構５６のシャッターマグネット２５をオフすることにより、レバー２２の先端部がシャッター２０の下側へ入り込み、ロック状態にする。
【００３４】
次に自動取引装置２は、レシートプリンタ５３により預入確認票を発行する（ステップ２２）。預入確認票は、受取者が預入袋を受け取る際に使用されるもので、預入袋の封筒番号等が記載されている。
【００３５】
以上で預入処理を終了する。貸金庫管理センター４には、利用者の預入情報、預入袋の封筒番号、預入袋の貸金庫装置３への収容情報が格納されている。また料金が一部未払いの場合は、一部未払いであることおよび未払い料金情報も格納されている。
【００３６】
貸金庫装置３に収容された預入袋は貸金庫装置３から取り出されて、預入情報にある受取場所へ運搬される。貸金庫装置３からの預入袋の取り出しおよび運搬は、契約した警備会社が行う。預入袋の運搬の指示は、貸金庫管理センター４から警備会社に出される。警備会社は、定期的にまたは必要に応じて、貸金庫装置３の設置店に出向き、預入袋の運搬を行う。
【００３７】
図１において、警備会社の担当者は貸金庫装置３の設置店に出向き、貸金庫装置３から預入袋を取り出し、運搬車７でその預入袋の受取先に搬送する。運搬車７に対しては預入袋の受取先は貸金庫管理センター４から連絡される。預入袋の受取先が提携銀行の支店８だとすると、この支店８に預入袋が持ち込まれる。この支店８へは貸金庫管理センター４から提携銀行ホストシステム６を介して預入袋の預入情報および封筒番号が送られる。
【００３８】
次に受取先における預入袋の受取処理について説明する。なおここでは預入袋はすでに受取先の支店８に到着しているものとする。受取者が支店８に出向き、支店８の窓口で係員に預入袋の受取をする旨を伝え、預入の際に発行された預入確認票または領収レシートと運転免許証等の身分証明書を提示する。
【００３９】
支店８の係員は、身分証明書等で受取者本人かどうか確認し、また期日が登録した期間内かどうか確認する。出向いた者が受取者本人でない場合は預入袋は返却されず、受取者本人である場合は預入袋は返却される。また登録した期間を超過して受取にきた場合、および預入時に料金の一部が未納である場合は、超過料金または未納料金を支払うよう要求する。
【００４０】
支店８の係員は受取者に預入袋を渡すと、受取者から預入確認票または領収レシートを受領し、また受取者の身分証明書を複写して預入確認票または領収レシートとともに保管する。以上により、預入者により指定された受取先における預入袋の受取を終了する。
【００４１】
第１の実施の形態においては、預入袋が搬送される提携銀行の支店は、預入袋が預け入れられた貸金庫装置３の設置店の近郊に限られる。貸金庫装置３を自動取引装置２と併設することにより、預入袋の搬送を、自動取引装置２の補充／回収用の現金の搬送と同時に行うことが可能となり、警備会社の経費節減を実現することができる。
【００４２】
以上のように第１の実施の形態によれば、自動取引装置の制御下に貸金庫装置を設けたので、自動取引装置の稼動中は預入が可能となり、預入の利用可能時間帯が拡大される。とくに近年における２４時間稼動の自動取引装置では、常時預入が可能となる。また１つの貸金庫装置を複数の利用者が利用できるので、多くの貸金庫を設置する必要がなく、設置面積の省スペース化を実現できる。
【００４３】
さらに、料金の支払いを現金で行うことにより、銀行の口座あるいはカードを持っていない者でも預入が可能である。また第１の実施の形態では、専用の預入袋に預入品を入れて貸金庫装置に収容するようにしているので、現金以外にも預け入れることが可能である。
【００４４】
次に第２の実施の形態の貸金庫システムを説明する。図７は第２の実施の形態の貸金庫システムの概要を示す説明図である。第２の実施の形態の貸金庫システムは、預入者と受取者が異なる場合であっても、また預入袋の受取場所が預入場所から遠距離である場合であっても、預入袋の受取りを可能にしたものである。
【００４５】
図７において、第２の実施の形態の貸金庫システム６１では、Ａ銀行ホストシステム６２に貸金庫管理センター６３が設けられ、貸金庫管理センター６３に併設して預入袋集配センター６４が設けられている。またＡ銀行と提携関係にあるＢ銀行のホストシステム６５にも同様に貸金庫管理センター６６が設けられ、該貸金庫管理センター６６に併設して預入袋集配センター６７が設けられている。Ａ銀行の貸金庫管理センター６３とＢ銀行の貸金庫管理センター６６とは互いに通信可能となっている。
【００４６】
また第２の実施の形態の貸金庫システム６１には携帯電話センター６８が設けられており、携帯電話センター６８は個人（利用者）の携帯電話６９、７０と通信可能であるとともに、各貸金庫管理センター６３、６７とも通信可能となっている。
【００４７】
Ａ銀行ホストシステム６２には、第１の実施の形態と同様に、自動取引装置７１および貸金庫装置３が設けられている。貸金庫装置３の構成は第１の実施の形態のものと同様であり、説明を省略する。自動取引装置７１の構成を図８に示す。
【００４８】
図８において、自動取引装置７１には赤外線通信ユニット７２が設けられ、その他の構成は第１の実施の形態のものと同様である。赤外線通信ユニット７２は、利用者の携帯電話６９、７０との間でデータを送受信するためのものである。自動取引装置７１は第１の実施の形態と同様に、貸金庫装置３を自らの制御下に置く。
【００４９】
次に第２の実施の形態の動作を説明する。まず預入情報を登録する場合について図９のフローチャートにしたがって説明する。図９は第２の実施の形態の預入情報登録動作を示すフローチャートである。第２の実施の形態における預入情報の登録は利用者の所有する携帯電話を用いて行われる。したがってここでは図７に示す利用者の携帯電話６９の動作を中心に説明する。
【００５０】
まず利用者は携帯電話６９を携帯電話センター６８に接続する（ステップ３１）。携帯電話センター６８ではこれに応じて預入情報を入力するためのガイダンス情報を携帯電話６９に送信する。携帯電話６９ではガイダンス情報を画面に表示して利用者に預入情報の入力を促す（ステップ３２）。
【００５１】
ガイダンス画面には、利用者の氏名、利用者の携帯電話番号、預入品の名称、預入品の推定価値、保管期間、受取場所のほかに、受取者の氏名、受取者の携帯電話番号等を入力する画面が表示され、利用者はガイダンスに従ってこれらの預入情報を入力する。
【００５２】
利用者により預入情報が入力されると（ステップ３３）、次に封筒番号を入力するための画面が表示される（ステップ３４）。封筒番号は預入袋に記載されている番号で、預入袋を識別することのできる番号である。利用者は預入袋を既に購入して所持している。
【００５３】
ステップ３４において利用者が封筒番号を入力すると（ステップ３５）、次に確認画面が表示される（ステップ３６）。確認画面にはステップ３４で利用者が入力した預入情報が表示される。確認画面で修正がない場合、確認画面に表示されている確認ボタンを押下することにより次のステップへ進む（ステップ３７）。確認画面で間違いを発見した場合、あるいは何らかの項目を修正したい場合は、利用者は該当項目を修正し、預入情報は修正された情報に書き換えられる（ステップ３８）。
【００５４】
預入情報が確認されると、預入情報が携帯電話センター６８へ送信され（ステップ３９）、携帯電話センター６８に登録される。預入情報は貸金庫管理センター６３へも送られ、該センター６３に登録される。そして携帯電話センター６８から携帯電話６９に登録番号を送信され、登録番号が表示されて保存される（ステップ４０）。以上により預入情報の登録処理を終了する。
【００５５】
次に図１０、図１１のフローチャートにしたがって預入を行う場合の動作を説明する。図１０、図１１は自動取引装置における預入動作を示すフローチャートである。
【００５６】
図１０において、まず利用者は、貸金庫装置３とともに自動取引装置７１が設置してある店舗等へ出向く。まだ預入袋を購入していない場合は預入袋を購入し、預入袋に受取人および連絡先を記入し、その封筒の中に預入品を入れて密封する。利用者が接近すると、自動取引装置７１は取引選択画面を表示し（ステップ４１）、利用者は「貸金庫」ボタンを押下する。
【００５７】
「貸金庫」ボタンが押下されたことが検出されると（ステップ４２）、自動取引装置７１は預入情報を予め登録してあるかどうかチェックする（ステップ４３）。登録済みでない場合は、図９で説明した預入情報の登録処理を行う。すでに登録済みである場合は、次に登録番号を入力する画面が表示される（ステップ４４）。利用者が登録番号を入力すると（ステップ４５）、次に封筒番号を入力するための画面が表示される（ステップ４６）。
【００５８】
ステップ４５において利用者が封筒番号を入力すると（ステップ４７）、次に確認画面が表示される（ステップ４８）。確認画面には登録された預入情報が表示される。確認画面で修正がない場合、確認画面に表示されている確認ボタンを押下することにより次のステップへ進む（ステップ４９）。確認画面で間違いを発見した場合、あるいは何らかの項目を修正したい場合は、利用者は該当箇所を修正し、預入情報は修正された情報に書き換えられる（ステップ５０）。
【００５９】
自動取引装置７１では確認された預入情報を貸金庫管理センター６３へ送る。貸金庫管理センター６３では送られてきた預入情報を登録するとともに、この預入情報に基づいて料金を算出する。そして算出した料金情報を自動取引装置７１へ送信する。自動取引装置７１では、送られてきた料金情報をタッチパネル付液晶表示部１１に表示する（ステップ５１）。
【００６０】
図１１において、自動取引装置７１は、次に料金の支払い方法を選択する画面を表示する。ここでは、現金支払いをするか、カード（キャッシュカード）による支払いをするか、或いは携帯電話６９を使った支払をするかを選択する画面を表示する（ステップ５２）。
【００６１】
利用者が現金支払いを選択した場合、タッチパネル付液晶表示部１１に支払方法が表示され、その表示に従って利用者は現金を紙幣投入排出口１４または図示しない硬貨投入口から投入する。紙幣入出金ユニット５２または硬貨入出金ユニット５５では入金処理をし、釣銭が必要な場合は釣銭を排出する（ステップ５３）。なお硬貨入出金ユニットが備えられていない装置においては、料金の一部を後払いとする。
【００６２】
利用者がカードによる支払いを選択した場合、カードをカード挿入排出口１３から挿入する案内を表示し（ステップ５４）、カード挿入を促す。利用者がカードを挿入すると、次に暗証番号を入力するガイダンスを表示する（ステップ５５）。暗証番号が入力されると、自動取引装置７１はセンタコンピュータに問合せ、暗証番号が正しいか口座による支払いは可能かを確認し、支払い可能と判断した場合は口座から料金分を引き落とし、ステップ５７へ進む。
【００６３】
利用者が携帯電話６９による支払を選択した場合、利用者は携帯電話６９を自動取引装置７１に近づけ、赤外線通信ユニット７２との間で通信可能とする。この状態で、携帯電話６９から決済情報を自動取引装置７１へ送る（ステップ５６）。決済情報として携帯電話６９の番号を送ることにより支払が行われる。
【００６４】
料金が支払われると、自動取引装置７１はレシートプリンタ５３により領収レシートを発行する（ステップ５７）。領収レシートは２枚発行され、１枚は利用者の控えとし、もう１枚は預入袋へ貼り付けるのに用いられる。領収レシートを発行する際、タッチパネル付液晶表示部１１に１枚を預入袋に貼り付ける旨の表示を行う。
【００６５】
利用者が領収レシートをレシート発行口１２から引き抜くと、制御部５１は貸金庫装置３の預入投函口ロック機構５６および金庫投函口開閉ロック機構５７に対してシャッターのロックを解除する指示を出す（ステップ５８）とともに、利用者に対して預入袋を貸金庫装置３へ投函するガイダンスを表示する（ステップ５９）。
【００６６】
制御部５１からのロック解除指示により、貸金庫装置３では、預入投函口ロック機構５６のシャッターマグネット２５がオンとなり、レバー２２がシャッター２０の下側から退避してシャッター２０が開閉可能となる。また制御部５１からのロック解除指示により、金庫投函口開閉ロック機構５７の金庫シャッターマグネット３７がオンとなり、金庫シャッター３１が開閉可能となる。
【００６７】
表示ガイダンスに従って利用者が預入袋を投函口１６へ投函すると、預入袋はガイド２７上においてバーコードスキャナ２９またはバーコードスキャナ３０により預入袋のバーコードを認識する。認識された情報は制御部５１へ送られる。制御部５１はこの情報を受け取ることにより、預入袋が貸金庫装置３に投函されたことを認識し、貸金庫装置３の預入投函口ロック機構５６および金庫投函口開閉ロック機構５７に対してシャッターをロックする指示を出す（ステップ６０）。金庫投函口開閉ロック機構５７の金庫シャッター開閉マグネット３３をオンすることにより金庫シャッター３１が閉じ、この状態で金庫シャッターマグネット３７をオフすることにより、レバー４０が金庫シャッター３１を閉じた状態でロックする。またシャッター２０が閉じた状態で預入投函口ロック機構５６のシャッターマグネット２５をオフすることにより、レバー２２の先端部がシャッター２０の下側へ入り込み、ロック状態にする。
【００６８】
預入袋はガイド２７に案内されて金庫投入口２８から金庫部１８内に収容される。次に自動取引装置７１から預入情報が携帯電話センター６８へ送信される（ステップ６１）。以上により自動取引装置７１による預入処理を終了する。
【００６９】
携帯電話センター６８では送られてきた預入情報に基づいて、預入者の携帯電話６９に預入チケット情報を送信する。預入チケット情報は受取者が預入袋を受け取る際に使用されるもので、預入袋の封筒番号等が記載されている。預入チケット情報は電子データであるので、預入者はその預入チケット情報を受取者の携帯電話７０へ送信することができる。
【００７０】
貸金庫管理センター６３には、利用者の預入情報、預入袋の封筒番号、預入袋の貸金庫装置３への収容情報が格納されている。また料金が一部未払いの場合は、一部未払いであることおよび未払い料金情報も格納されている。
【００７１】
図７において、貸金庫装置３に収容された預入袋は貸金庫装置３から取り出されて、委託を受けた警備会社の運搬車により貸金庫管理センター６３の預入袋集配センター６４へ運搬される。警備会社は、定期的にまたは必要に応じて、貸金庫装置３の設置店に出向き、預入袋の運搬を行う。
【００７２】
預入袋集配センター６４に集められた預入袋は、送り先別に仕分けされる。ここで利用者が預け入れた預入袋の送り先がＢ銀行支店６５ａであるとすると、預入袋は、預入袋集配センター６４からＢ銀行ホストシステムの預入袋集配センター６７へ一旦送られ、ここからさらにＢ銀行支店６５ａへ運搬される。Ｂ銀行支店６５ａへは貸金庫管理センター６３からＢ銀行ホストシステム６５の貸金庫管理センター６６を介して預入袋の預入情報および封筒番号が送られる。
【００７３】
次に受取先における預入袋の受取処理について説明する。なおここでは預入袋はすでに受取先のＢ銀行支店６５ａに到着しているものとする。また受取者は預入者とは異なる者で、預入者から預入チケット情報を自らの携帯電話７０に受信しているものとする。受取者はＢ銀行支店６５ａに出向き、支店６５ａの窓口で係員に預入袋の受取をする旨を伝える。
【００７４】
まず受取者は窓口係員の指示で銀行に備え付けの端末に自分の携帯電話７０を近づけ、赤外線通信機能を使って携帯電話７０から預入チケット情報を端末に送信する。また受取者は銀行係員に運転免許証や保険証等の身分証明書を提示する。なお預入チケット情報と携帯電話の所持により身分証明書の提示を省略する運用としてもよい。
【００７５】
Ｂ銀行支店６５ａの係員は、身分証明書で預入情報として登録された受取者本人かどうか確認し、また期日が登録した期間内かどうか確認する。出向いた者が受取者本人でない場合は預入袋は返却されず、受取者本人である場合は預入袋は返却される。また登録した期間を超過して受取にきた場合、および預入時に料金の未納がある場合は、超過料金または未納料金を支払うよう要求する。
【００７６】
Ｂ銀行支店６５ａの係員は受取者に預入袋を渡すと、受取者の身分証明書を複写して保管する。以上により、預入者により指定された受取先において、預入者とは異なる受取者による預入袋の受取を終了する。
【００７７】
以上のように第２の実施の形態では、上記第１の実施の形態の有する効果に加えて、預入者と受取者が異なる場合でも、預入者から受取者の携帯電話へ預入チケット情報を送信することにより、受取者は自分の身分証明書を提示するだけで預入袋の受取が可能となる。また複数の銀行の貸金庫管理センターを介して預入袋を移動させることにより遠隔地の受取者に預入袋を渡すことが可能となる効果がある。
【００７８】
上記各実施の形態では貸金庫装置３を自動取引装置と併設したシステムで説明したが、図１２に示すように、貸金庫装置を自動取引装置に内蔵するようにしてもよい。この場合、自動取引装置８１には硬貨入出金ユニットは具備されておらず、そのスペースに貸金庫装置８２を実装したものである。このように貸金庫装置８２を内蔵することにより、設置店舗における設置領域をさらに省スペース化することができる。
【図面の簡単な説明】
【００７９】
【図１】第１の実施の形態の貸金庫システムの概要を示す説明図である。
【図２】第１の実施の形態の自動取引装置と貸金庫装置を示す外観図である。
【図３】貸金庫装置の内部構造を示す説明図である。
【図４】自動取引装置および貸金庫装置を示すブロック図である。
【図５】第１の実施の形態における自動取引装置の預入動作を示すフローチャートである。
【図６】第１の実施の形態における自動取引装置の預入動作を示すフローチャートである。
【図７】第２の実施の形態の貸金庫システムの概要を示す説明図である。
【図８】第２の実施の形態の自動取引装置と貸金庫装置を示す外観図である。
【図９】第２の実施の形態の預入情報登録動作を示すフローチャートである。
【図１０】第２の実施の形態における自動取引装置の預入動作を示すフローチャートである。
【図１１】第２の実施の形態における自動取引装置の預入動作を示すフローチャートである。
【図１２】貸金庫装置を内蔵した自動取引装置を示す外観図である。
【符号の説明】
【００８０】
１、６１  貸金庫システム
２、７１  自動取引装置
３  貸金庫装置
４、６３、６６  貸金庫管理センター
６８  携帯電話センター
６９、７０  携帯電話
【図１】
2006097271.tif 000003
【図２】
2006097271.tif 000004
【図３】
2006097271.tif 000005
【図４】
2006097271.tif 000006
【図５】
2006097271.tif 000007
【図６】
2006097271.tif 000008
【図７】
2006097271.tif 000009
【図８】
2006097271.tif 000010
【図９】
2006097271.tif 000011
【図１０】
2006097271.tif 000012
【図１１】
2006097271.tif 000013
【図１２】
2006097271.tif 000014